(57)【要約】【課題】真空断熱材の搭載位置を迅速にかつ明瞭に把握できる断熱箱体を提供する。【解決手段】真空断熱材を搭載した箱体の外面に当該箱体を構成する壁部の配置を表わす立体図１１，１２を表示した表示部１０を設け、立体図１１，１２に真空断熱材の搭載位置を表すマーク２１を付す。これにより、作業者等が一目で真空断熱材の搭載位置を特定することができ、リサイクル工程での作業効率を向上することが可能になる。【選択図】  図２
2005282876.tif 000002
【特許請求の範囲】
【請求項１】
真空断熱材を箱体に搭載した断熱箱体であって、前記箱体の外面に、前記箱体を構成する壁部の配置を表わす立体図を表示した表示部を設け、前記立体図に真空断熱材の搭載位置を表記した断熱箱体。
【請求項２】
箱体が直方体形状であり、前記箱体の少なくとも２方向からの立体図を表示部に表示した請求項１記載の断熱箱体。
【請求項３】
箱体の底部と箱体内を仕切る隔壁部の少なくとも一方を立体図から分離して立体図の近傍に図形表示し、その分離図に真空断熱材の搭載位置を表記した請求項１または請求項２のいずれかに記載の断熱箱体。
【請求項４】
箱体が直方体形状であり、前記箱体を構成する１面の壁部を切り取った残りの壁部と箱体内を仕切る隔壁部との配置を表わす立体図を表示部に表示し、前記切り取った壁部を立体図の近傍に図形表示し、その分離図に真空断熱材の搭載位置を表記した請求項１記載の断熱箱体。
【請求項５】
真空断熱材を箱体に搭載した断熱箱体であって、前記箱体の外面に、前記箱体を構成する壁部の配置を表わす展開図を表示した表示部を設け、前記展開図に真空断熱材の搭載位置を表記した断熱箱体。
【請求項６】
箱体が直方体形状であり、前記箱体の天面の周りに前面と背面と２側面をそれぞれ隣接配置した展開図を表示部に表示した請求項５記載の断熱箱体。
【請求項７】
箱体の底部と箱体内を仕切る隔壁部の少なくとも一方を展開図から分離して展開図の近傍に図形表示し、その分離図に真空断熱材の搭載位置を表記した請求項５または請求項６記載の断熱箱体。
【請求項８】
箱体の外面に、真空断熱材の搭載位置情報を読取装置で読取可能に記録した記録部を併設した請求項１〜請求項７のいずれかに記載の断熱箱体。
【請求項９】
真空断熱材の搭載位置とともに真空断熱材中の水分吸着剤の封入位置を表示した請求項１〜請求項８のいずれかに記載の断熱箱体。
【発明の詳細な説明】
【技術分野】
【０００１】
本発明は、真空断熱材を搭載した断熱箱体に関し、特に真空断熱材の搭載位置を迅速にかつ明瞭に把握できる断熱箱体に関するものである。
【背景技術】
【０００２】
近年、地球環境保護のため、省エネルギーと省資源の視点に立った様々な取り組みがなされている。家電製品においては、消費電力の削減による省エネルギーや、製品の回収・解体・再資源化による省資源および環境汚染防止がすすめられている。
【０００３】
冷蔵庫・自動販売機（以下、冷蔵庫と言う）の分野では、断熱性能の高い真空断熱材（＝Vacuum Insulation Panel；VIP）を搭載することで、大幅な省エネルギーが実現されている。真空断熱材は、ガラスウール等の芯材をアルミ蒸着フィルムなどのガス遮断性の高いフィルムで覆い、真空引きした後に、封止したものが主流であり、冷蔵庫の箱体内部にウレタンフォームなどの樹脂発泡体と組み合わせて収納されている。
【０００４】
しかし真空断熱材搭載製品を解体・再資源化するに当たって、従来の冷蔵庫リサイクル工程で破砕処理すると、不都合が起きると予想される。つまり、従来の冷蔵庫リサイクル工程では、冷蔵庫の箱体を丸ごと破砕選別機で処理しているため、選別されるウレタンや廃プラスチックに真空断熱材の芯材のガラス繊維が混入し、回収素材の有価性が落ちる恐れがある。従って、冷蔵庫の破砕前に真空断熱材を取り出すことが、回収素材の品位を高めるために望まれる。
【０００５】
ところが、これらの冷蔵庫は、真空断熱材を意味する「ＶＩＰ」という文字を製品背面に刻印することで、真空断熱材搭載冷蔵庫であることを表示しているのみであり、製品のどの箇所に真空断熱材が搭載されているかを簡単に知ることは出来ない。一方、真空断熱材を搭載した冷蔵庫はその数を増してきており、多くの機種が生産・販売されている。しかも真空断熱材の搭載位置は冷蔵庫の機種ごとに異なり、背部だけに入っているもの、背部と天部だけに入っているもの、背部、天部、両側部、底部、バリア（隔壁部）、冷蔵室ドア、冷凍室ドアの８箇所に入っているものなど、様々である。
【０００６】
このため近年、図６に示すように、断熱箱体外側に「真空断熱材搭載位置：天面・背面・右側面・左側面・冷凍室ドア・冷蔵室ドア・バリア・底面」というように文字表示する方法が提案された（「天面」等の語句は「天部」等と同意義である）。真空断熱材を樹脂発泡体で覆った断熱パネルに直接、真空断熱材の搭載位置を明記する方法もある（例えば、特許文献１参照）。
【特許文献１】特開２０００−２４８６５３号公報
【発明の開示】
【発明が解決しようとする課題】
【０００７】
しかしながら、上記したように真空断熱材搭載位置を断熱箱体外側に文字のみで表示するのでは、作業者が読み取って認識するまでに時間がかかり、効率的でない。また断熱パネルに真空断熱材の搭載位置を明記する方法では、冷蔵庫等の断熱箱体に搭載した真空断熱材の位置を断熱箱体外側から把握することはできない。
【０００８】
真空断熱材を搭載した旨の表示がある製品、あるいは真空断熱材に関する表示がない製品でも、機種番号、メーカー名、製造年月は概ね製品の外側箱体などに記載されているので、機種を調査して特定すれば、製造当時の仕様書データから真空断熱材の搭載枚数や位置を把握することは可能ではある。
【０００９】
しかし、たとえば冷蔵庫が廃棄物となってリサイクル工場に搬入されるのは、製品が販売されてから数年〜数十年後であることが多く、そうなると、リサイクル工場に搬入された冷蔵庫１台１台のメーカー名と機種番号をチェックし、それを基に真空断熱材の搭載位置を把握し、しかる後に破砕等の処理を行うのでは、時間も手間もかかり、効率が悪い。
【００１０】
本発明は上記問題を解決するもので、真空断熱材の搭載位置を迅速にかつ明瞭に把握できる断熱箱体を提供することを目的とする。
【課題を解決するための手段】
【００１１】
上記課題を解決するために、本発明の断熱箱体は、真空断熱材を箱体に搭載した断熱箱体であって、前記箱体の外面に、前記箱体を構成する壁部の配置を表わす立体図を表示した表示部を設け、前記立体図に真空断熱材の搭載位置を表記したことを特徴とする。箱体の外面の表示部に立体図を表示しておくことで、作業者等が一目で真空断熱材の搭載位置を特定することが可能になり、リサイクルの際の作業効率を上げることができる。
【００１２】
箱体が直方体形状である時に、前記箱体の少なくとも２方向からの立体図を表示部に表示することができる。これにより、直方体形状の箱体のすべての外壁部の配置がわかり易くなる。
【００１３】
箱体の底部と箱体内を仕切る隔壁部の少なくとも一方を立体図から分離して立体図の近傍に図形表示し、その分離図に真空断熱材の搭載位置を表記することができる。立体図に記載しにくい箱体の底部や記載できない隔壁部は、立体図の近傍に分離して図形表示することで、配置がわかりやすい表示となる。底部や隔壁部に真空断熱材が搭載されていない場合は当然ながら、分離図に真空断熱材の搭載位置を表記しない。
【００１４】
箱体が直方体形状である時に、前記箱体を構成する１面の壁部を切り取った残りの壁部と箱体内を仕切る隔壁部との配置を表わす立体図を表示部に表示し、前記切り取った壁部を立体図の近傍に図形表示し、その分離図に真空断熱材の搭載位置を表記することができる。この場合、１個の立体図に直方体形状の箱体の５面の壁部と隔壁部とを表示することができ、直感的に視認しやすい表示となる。
【００１５】
また本発明の断熱箱体は、真空断熱材を箱体に搭載した断熱箱体であって、前記箱体の外面に、前記箱体を構成する壁部の配置を表わす展開図を表示した表示部を設け、前記展開図に真空断熱材の搭載位置を表記したことを特徴とする。展開図を表示しておくことで、作業者等が一目で真空断熱材の搭載位置を特定することが可能になり、リサイクルの際の作業効率を上げることができる。
【００１６】
箱体が直方体形状である時に、前記箱体の天面の周りに前面と背面と２側面をそれぞれ隣接配置した展開図を表示部に表示することができる。冷蔵庫などの直方体形状の箱体であれば、箱体を上方から見て、天面を中心に十字状に展開したこの配置が、視覚的に立体構造を把握するのが容易であり、どの壁部に真空断熱材が搭載されているかわかり易い。
【００１７】
箱体の底部と箱体内を仕切る隔壁部の少なくとも一方を展開図から分離して展開図の近傍に図形表示し、その分離図に真空断熱材の搭載の有無を表記することができる。直方体をそのまま展開図にすると、６個の長方形がつながった形状となる。この場合、箱体の天面を展開図の中央に配置すると、箱体の底面は、箱体の前面または背面または側面につながって天面から離れて配置され、立体構造の把握がやや困難になる。このため、底部を展開図の近傍に別に表示するのが、立体構造の把握を容易にするうえで望ましい。箱体内の隔壁部を展開図中に表示するのは難しく、表示できても空間認識が困難になる。このため、隔壁部を展開図の近傍に別に表示するのが、立体構造の把握を容易にするうえで望ましい。特に断熱箱体が冷蔵庫である場合は、庫室を仕切るバリアと呼ばれる隔壁部に真空断熱材が搭載されることが多いので、このような表示方法をとることで、隔壁部への真空断熱材の搭載の有無を効率的に把握することが可能になる。その際に文字などを補足的に表記してもよい。底部や隔壁部に真空断熱材が搭載されていない場合は当然ながら、分離図に真空断熱材の搭載位置を表記しない。
【００１８】
さらに、箱体の外面に、真空断熱材の搭載位置情報を読取装置で読取可能に記録した記録部を併設することができる。上記したように人間が視認しやすい表示部の外部に、あるいは表示部内に、読取装置で読取可能な記録部を設けておくことで、読取装置を備えた施設では、真空断熱材の搭載位置を目視によらず瞬時に把握することが可能になる。リサイクル工場の管理形態によらず、真空断熱材の搭載位置を迅速に把握可能な方式である。ここで記録部は、バーコードや２次元コードやＩＣチップなどを意味し、光学的、磁気的な読取装置で走査するなどして情報を読み取ることになる。
【００１９】
また、真空断熱材の搭載位置とともに真空断熱材中の水分吸着剤の封入位置を表示することができる。真空断熱材には、断熱性能を悪化させる水分を吸着するために、酸化カルシウムやアルカリ金属などを主成分とした水分吸着剤が封入されていることが多いのであるが、これらの水分吸着剤は多量の水やアルコールなどに触れると発熱するので、リサイクル工場での火災を防止するために、断熱箱体の破砕処理前に取り出しておくことが望まれる。このように、真空断熱材の搭載位置だけでなく、その中に封入された水分吸着剤の封入位置も併せて表示しておけば、リサイクル工場での安全性を確保するうえでの危険物質の視認性を向上できる。
【発明の効果】
【００２０】
以上のように本発明の断熱箱体は、箱体の外面に真空断熱材の搭載位置を図形表示した表示部を設けているので、内外二重構造の箱体内の真空断熱材の搭載位置を迅速にかつ明瞭に把握することができ、リサイクル工程での作業効率を向上することが可能になる。
【発明を実施するための最良の形態】
【００２１】
以下、本発明の実施の形態について、図面を参照しながら説明する。
図１は本発明の一実施形態における断熱箱体の構造を示す。
ほぼ直方体状の断熱箱体である冷蔵庫１の本体２は、冷蔵室３と冷凍室４とに仕切られており、冷蔵室３、冷凍室４をそれぞれ開閉する冷蔵室ドア５、冷凍室ドア６が取付けられている。本体２、冷蔵室ドア５、冷凍室ドア６はそれぞれ、鉄板製の外箱７と樹脂製の内箱８とからなる内外二重構造に形成され、外箱７と内箱８との間に断熱層９が配されている。断熱層９は、搭載位置によって、真空断熱材９ａと硬質ウレタンフォーム９ｂとの複合体で構成されているか、あるいは硬質ウレタンフォームのみで構成されている。
【００２２】
本体２の背面には、冷蔵庫１を構成する壁部の配置を表わす図形や文字を表示した表示部１０が設けられている。表示部１０はたとえば、厚さ０．５ｍｍの鉄板に図形や文字を刻印して嵌め込み接着される。
【００２３】
表示部１０には、図２に示すように、冷蔵庫１を斜め前方から描写した第１の立体図（斜視図）１１と、冷蔵庫１を斜め後方から描写した第２の立体図（斜視図）１２とが表示されている。立体図１１には、本体１の天面１３と右側面１４と冷蔵室ドア前面１５と冷凍室ドア前面１６とがそれぞれ表わされている。立体図１２には、本体１の天面１３と左側面１７と背面１８とがそれぞれ表わされている。
【００２４】
立体図１１の近傍には、本体１の底面１９とバリア面２０（冷凍室３と冷蔵室４とを互いに上下に仕切ったバリア（隔壁部）の一方の面）とがそれぞれ、本体１の他面から分離して、その位置を示す矢印とともに図形表示されている。
【００２５】
各立体図１１，１２およびその近傍の分離図には、真空断熱材の搭載位置を示すマーク２１が付されている。この冷蔵庫１では、本体１の背部、天部、右側部、左側部、底部、バリア、冷蔵室ドア、冷凍室ドアの８箇所に真空断熱材が搭載されているので、立体図１１，１２および分離図に示された天面１３，右側面１４，冷蔵室ドア前面１５，冷凍室ドア前面１６，左側面１７，背面１８，底面１９，バリア面２０の８箇所にマーク２１が付されている。
【００２６】
このような構成によれば、表示部１０の表示図形を作業者等が見るだけで、冷蔵庫１のどの位置に真空断熱材が搭載されているか、つまりどの位置の壁部に真空断熱材が搭載されているかを瞬時に把握することができ、リサイクル工程における効率化を図ることが可能になる。
【００２７】
底部やバリアに真空断熱材が搭載されていない場合は当然ながら、分離図に真空断熱材の搭載位置を表記しないが、分離図を省略して、他に真空断熱材の搭載がないことを文字等で表記することも可能である。
【００２８】
表示部１０に、図３に示すような、冷蔵庫１を構成する１面の壁部を切り取って、内部を覗き込む方向から、残りの壁部と隔壁部との配置を表わす立体図１１１を表示し、切り取った壁部を立体図１１１の近傍に平面図１１２として図形表示し、これら立体図１１１および平面図１１２に真空断熱材２１の搭載位置を表記するようにしてもよい。
【００２９】
なおここでは、冷蔵庫１は、複数の冷蔵室３を有し、それに対応する複数の冷蔵室ドア５と複数のバリアを有するものとして示している。また真空断熱材２１の搭載位置は、真空断熱材２１の外形に相当する矩形で表している。そして、真空断熱材２１内に封入されている水分吸着剤２１ａの位置も示している。
【００３０】
詳細には、立体図１１１には、本体１の天面１３，右側面１４，左側面１７，背面１８，底面１９，バリア面２０ａ，２０ｂ，２０ｃ，２０ｄが表され、天面１３，右側面１４，左側面１７，背面１８，底面１９，バリア面２０ｂに真空断熱材２１の搭載位置が示され、各真空断熱材２１の端部に水分吸着剤２１ａの封入位置が示されている。平面図１１２には、冷蔵室ドア前面１５ａ，１５ｂ，１５ｃ，１５ｄと冷凍室ドア前面１６とが表され、冷蔵室ドア前面１５ａ，冷凍室ドア前面１６に真空断熱材２１の搭載位置が示され、各真空断熱材２１の端部に水分吸着剤２１ａの封入位置が示されている。
【００３１】
このような表示方式によれば、表示部１０の表示図形を作業者等が見るだけで、冷蔵庫１のどの位置に真空断熱材２１が搭載されているか、つまりどの位置の壁部に真空断熱材２１が搭載されているかを瞬時に把握することができ、リサイクル工程における効率化を図ることが可能になる。
【００３２】
さらに、真空断熱材２１の搭載位置だけでなく、真空断熱材２１内に封入されている水分吸着剤２１ａの封入位置も明示しているので、冷蔵庫１を破砕処理するに先立って水分吸着剤２１ａを取り出すための位置認識が容易になる。これは、水分吸着剤２１ａは取り出した時に発熱して火災の原因となる恐れがあるため、破砕処理前に取り出すことを前提に、封入位置を明確にするために記載するものである。
【００３３】
このような水分吸着剤２１ａの表示を他の表示形式の表示部１０に付与してもよいし、この図３の立体図１１１，平面図１１２に、図示したように真空断熱材２１の搭載位置を矩形表示するのでなく、図２と同様にマーク２１を付記するようにしてもよい。
【００３４】
表示部１０には、図４に示すような、冷蔵庫１を構成する壁部の配置を表わす展開図を表示してもよい。
展開図２２は冷蔵庫１の外箱７を展開して示しており、天面１３が中央に位置し、前面（冷蔵室ドア前面１５，冷凍室ドア前面１６）と右側面１４と背面１８と左側面１７がそれぞれ天面１３に隣接している。つまり展開図２２は、冷蔵庫１を上方から見て、天面１３を中心に十字状に展開して示したものである。
【００３５】
展開図２２の近傍には、本体１の底面１９とバリア面２０とがそれぞれ、本体１の他面から分離して、その位置を示す矢印とともに図形表示されている。
展開図２２およびその近傍の分離図には、真空断熱材の搭載位置を示すマーク２１が付されている。真空断熱材の搭載位置は図２と同様なので、説明を省略する。
【００３６】
このような表示部１０の表示図形は、作業者等にとって立体構造の把握がより容易であり、表示部１０の表示図形を見るだけで、冷蔵庫１のどの位置に真空断熱材が搭載されているか、つまりどの位置の壁部に真空断熱材が搭載されているかを瞬時に把握することができ、リサイクル工程における効率化を図ることが可能になる。
【００３７】
表示部１０には、図５に示すように、図２に示した立体図１１，１２などの図形（図３や、図４に示した展開図２２などの表示図形でもよい）に加えて、真空断熱材の搭載位置情報を記録したバーコード２３を印刷等の手段で設けてもよい。
【００３８】
バーコード２３を併記しておくことで、バーコード読取装置があるリサイクル工場等で、真空断熱材の搭載位置を瞬時に正確に把握することが可能になり、処理の効率化を図ることが出来る。読取装置がない施設等では、作業者等が立体図１１，１２などの表示図形を目視して真空断熱材の搭載位置を把握する。
【００３９】
バーコード２３に、冷蔵庫１のメーカー名、機種名、品番などの製品情報も記録させておけば、冷媒の種類や真空断熱材以外の断熱材の種類の特定などを速やかに行うことができ、リサイクル工程の更なる効率化を図ることができる。
【００４０】
バーコード２３に代えて、２次元コード、ＩＣチップなどを設けてもよい。
なお、表示部１０は、上述したように表示図形を鉄板に刻印して嵌め込み接着する方法に限らず、表示図形をシートに印刷して箱体に貼り付ける方法、表示図形を凹凸状に樹脂成形して箱体に取り付ける方法、箱体を構成する鉄板自体にプレスで刻印する方法などで設けてもよい。
【００４１】
また表示部１０は、冷蔵庫１の背面に限らず、天面や側面など、箱体の別の位置に設けてもよい。
さらには表示部１０は、冷蔵庫１に限らず、真空断熱材を搭載した略直方体形状の断熱箱体、例えば自動販売機、金型温調機、水温調節機（チラー）、弁当箱、食品保温機、加熱炉、恒温炉、プレハブ住宅などに設けても同様に有効である。直方体形状でない断熱箱体、たとえば円柱形状の保温ポットなどに設けても有効である。
【００４２】
上記した表示方式による視認性の向上を次のようにして試験した。
図２から図４に示した本発明の表示方式および図６に示した従来の表示方式に従って表示部サンプルを作成し、被験者に３秒間だけ目視させ、表示されていた真空断熱材搭載位置を口頭で報告させた。
【００４３】
表示部サンプルは、表示方式ごとに、真空断熱材搭載位置が１箇所、４箇所、６箇所、８箇所のものを作成した。被験者は特に冷蔵庫に関する知識のない成人男子５人とし、表示図形が示す意味は予め伝えておいた。各表示部サンプルについて、５人の正答率の平均値を算出した。結果を表１に示す。
【００４４】
【表１】
2005282876.tif 000003
表１の結果から、本発明の表示方式は、従来の文字による表示方式に比べて視認性が格段に向上することがわかる。特に図３、図４の表示方式の視認性が高い。
【産業上の利用可能性】
【００４５】
本発明の断熱箱体は、真空断熱材の搭載位置を箱体外側に設けた表示部から簡便に効率的に把握することができ、廃棄またはリサイクル処理するに先立って真空断熱材を取り出すのが望ましい冷蔵庫、自動販売機、温調機、加熱炉などの用途に利用できる。表示部における表示方式は、真空断熱材を搭載した断熱箱体に限らず、パネル形状の物品が搭載された構造物について、その搭載位置を迅速にかつ明瞭に把握する手段としても有効である。
【図面の簡単な説明】
【００４６】
【図１】本発明に係る断熱箱体の一例としての冷蔵庫の構成図
【図２】図１の断熱箱体に設けられた表示部の図
【図３】図１の断熱箱体に設けられる別の表示部の図
【図４】図１の断熱箱体に設けられる更に別の表示部の図
【図５】図１の断熱箱体に設けられる更に別の表示部の図
【図６】従来の表示部の図
【符号の説明】
【００４７】
１・・・冷蔵庫（断熱箱体）
９ａ・・・真空断熱材
１０・・・表示部
１１・・・第１の立体図
１２・・・第２の立体図
１１１・・・立体図
１１２・・・平面図
２２・・・展開図
２３・・・バーコード（記録部）
【図１】
2005282876.tif 000004
【図２】
2005282876.tif 000005
【図３】
2005282876.tif 000006
【図４】
2005282876.tif 000007
【図５】
2005282876.tif 000008
【図６】
2005282876.tif 000009